(57)【要約】      （修正有）【課題】記録ヘッドの高さを調整できるヘッドアッセンブリを提供する。【解決手段】ヘッドアッセンブリ１は、ベース部材と、記録ヘッド３と、連結部材と、押当部材６ａとを備える。記録ヘッドは、インクを吐出する。連結部材は、記録ヘッドをベース部材に連結する。押当部材は、記録ヘッドの第１面３５に当接する。連結部材は、記録ヘッドの第２面３６を記録ヘッドの第１面側へ付勢する付勢部材４１を有する。記録ヘッドの第２面は、記録ヘッドの第１面とは反対側の面である。【選択図】図６
2020121517.tif 000002
【特許請求の範囲】
【請求項１】
ベース部材と、
インクを吐出する記録ヘッドと、
前記記録ヘッドを前記ベース部材に連結する連結部材と、
前記記録ヘッドの第１面に当接する押当部材と
を備え、
前記連結部材は、前記記録ヘッドの第２面を前記記録ヘッドの前記第１面側へ付勢する付勢部材を有し、
前記記録ヘッドの前記第２面は、前記記録ヘッドの前記第１面とは反対側の面である、ヘッドアッセンブリ。
【請求項２】
前記記録ヘッドは、
前記インクを吐出するノズル孔が形成されたノズル面と、
前記ノズル面の外側に配置される延伸部と
を有し、
前記延伸部は、第１面と、前記第１面とは反対側の第２面とを有し、
前記記録ヘッドの前記第１面は、前記延伸部の前記第１面を含み、
前記記録ヘッドの前記第２面は、前記延伸部の前記第２面を含み、
前記押当部材は、前記延伸部の前記第１面に当接し、
前記付勢部材は、前記延伸部の前記第２面を付勢する、請求項１に記載のヘッドアッセンブリ。
【請求項３】
前記連結部材は、
前記延伸部を貫通する貫通部材と、
前記貫通部材に固定されたストッパー部と
を有し、
前記貫通部材は、
前記延伸部の前記第２面に当接する鍔部と、
前記鍔部に接続し、前記延伸部を貫通して、前記延伸部の前記第１面から突出する軸部と
を有し、
前記ストッパー部は、前記軸部のうち前記延伸部の前記第１面から突出する部分に固定され、
前記付勢部材は、前記ストッパー部を付勢する、請求項２に記載のヘッドアッセンブリ。
【請求項４】
前記鍔部と前記延伸部との間に配置される保護部材を更に備え、
前記保護部材は、前記ノズル面に対して傾斜する斜面を有する、請求項３に記載のヘッドアッセンブリ。
【請求項５】
前記連結部材は、前記軸部が挿入される挿入穴を有し、
前記ストッパー部及び前記付勢部材は前記挿入穴内に配置され、
前記付勢部材は、前記ストッパー部と接続する第１端部と、前記第１端部とは反対側の第２端部とを有し、
前記挿入穴は、前記付勢部材の前記第２端部と接続する段差部を有する、請求項３又は請求項４に記載のヘッドアッセンブリ。
【請求項６】
前記記録ヘッドは、第１端部と、前記第１端部とは反対側の第２端部とを有し、
前記連結部材は、
前記記録ヘッドの前記第１端部を前記ベース部材に連結する第１連結部材と、
前記記録ヘッドの前記第２端部を前記ベース部材に連結する第２連結部材と
を含む、請求項１から請求項５のいずれか１項に記載のヘッドアッセンブリ。
【請求項７】
前記押当部材は、複数であり、
前記複数の押当部材は、
前記記録ヘッドの前記第１端部側に配置される第１押当部材と、
前記記録ヘッドの前記第２端部側に配置される第２押当部材と
を含む、請求項６に記載のヘッドアッセンブリ。
【請求項８】
前記複数の押当部材は、
２つ又は１つの前記第１押当部材と、
１つ又は２つの前記第２押当部材と
を含む、請求項７に記載のヘッドアッセンブリ。
【請求項９】
請求項１から請求項８のいずれか１項に記載のヘッドアッセンブリを備える、インクジェット記録装置。
【発明の詳細な説明】
【技術分野】
【０００１】
本発明は、ヘッドアッセンブリ、及びインクジェット記録装置に関する。
【背景技術】
【０００２】
インクジェット記録装置の一種に、ラインヘッド式のインクジェット記録装置がある。ラインヘッド式のインクジェット記録装置は、搬送中の記録媒体に向けて記録ヘッドからインクを吐出して、記録媒体に画像を記録する。記録ヘッドは、インクを吐出するノズル孔が形成されたノズル面を有する。
【０００３】
ラインヘッド式のインクジェット記録装置は、一般的に、複数の記録ヘッドを有するヘッドアッセンブリを備える。複数の記録ヘッドは、記録媒体の搬送方向に直交する記録媒体の幅方向に並べて配置される。また、ラインヘッド式のインクジェット記録装置は、１つのヘッドアッセンブリの各記録ヘッドから１色（同色）のインクを吐出するように構成されている。したがって、カラー印刷に対応するラインヘッド式のインクジェット記録装置は、例えば４つのヘッドアッセンブリを備える。詳しくは、イエロー色、シアン色、マゼンタ色、及び黒色の各色に対応するヘッドアッセンブリがインクジェット記録装置の装置本体に搭載される。各色のヘッドアッセンブリは、記録媒体の搬送方向に並べて配置される。
【０００４】
ラインヘッド式のインクジェット記録装置は、記録ヘッドの位置決めをより正確に行う必要がある。例えば、正面視した場合に、各記録ヘッドのノズル面が互いに平行となるように、記録ヘッドを位置決めする必要がある。各記録ヘッドのノズル面が互いに平行ではない場合、画像品質が低下するおそれがあるためである。例えば、画像濃度が所望の濃度とならないおそれがある。
【０００５】
特許文献１には、インクジェットヘッドを位置決めする機構が開示されている。具体的には、特許文献１には、インクジェットヘッドと、フレームと、２つの位置決めピンと、２つのアライメントプレートとを備えたヘッドアッセンブリが開示されている。詳しくは、インクジェットヘッドは、記録媒体の幅方向における両端に鍔部を有し、２つの鍔部にそれぞれ１つのアライメントプレートが取り付けられる。２つの位置決めピンは、記録媒体の幅方向において対向し、フレームの主面から垂直に突出する。インクジェットヘッドをフレームに固定する際には、一方のアライメントプレートの側面に一方の位置決めピンが当接し、他方のアライメントプレートの側面に他方の位置決めピンが当接するように、インクジェットヘッドの鍔部をフレームに押し当てる。この結果、インクジェットヘッドの位置が定まる。
【先行技術文献】
【特許文献】
【０００６】
【特許文献１】特開２００８−２９６５１８号公報
【発明の概要】
【発明が解決しようとする課題】
【０００７】
しかしながら、特許文献１に開示されたヘッドアッセンブリは、記録ヘッドの高さ調整を行うことができない。したがって、部品の寸法精度及び部品の組み立てバラツキに起因して、各インクジェットヘッドのノズル面が互いに平行とならない可能性がある。
【０００８】
本発明は上記課題に鑑みてなされたものであり、その目的は、記録ヘッドの高さを調整できるヘッドアッセンブリ、及びインクジェット記録装置を提供することにある。
【課題を解決するための手段】
【０００９】
本発明のヘッドアッセンブリは、ベース部材と、記録ヘッドと、連結部材と、押当部材とを備える。前記記録ヘッドは、インクを吐出する。前記連結部材は、前記記録ヘッドを前記ベース部材に連結する。前記押当部材は、前記記録ヘッドの第１面に当接する。前記連結部材は、前記記録ヘッドの第２面を前記記録ヘッドの前記第１面側へ付勢する付勢部材を有する。前記記録ヘッドの前記第２面は、前記記録ヘッドの前記第１面とは反対側の面である。
【００１０】
本発明のインクジェット記録装置は、上記のヘッドアッセンブリを備える。
【発明の効果】
【００１１】
本発明のヘッドアッセンブリ、及びインクジェット記録装置によれば、記録ヘッドの高さを調整できる。
【図面の簡単な説明】
【００１２】
【図１】本発明の実施形態に係るヘッドアッセンブリを示す斜視図である。
【図２】本発明の実施形態に係るヘッドアッセンブリを示す斜視図である。
【図３】本発明の実施形態に係るヘッドアッセンブリを示す背面図である。
【図４】本発明の実施形態に係るヘッドアッセンブリを示す底面図である。
【図５】本発明の実施形態に係るヘッドアッセンブリを示す断面図である。
【図６】本発明の実施形態に係るヘッドアッセンブリを示す断面図である。
【図７】本発明の実施形態に係るヘッドアッセンブリを示す断面図である。
【図８】本発明の実施形態に係る記録ヘッド、第１連結部材、及び第２連結部材を示す上面図である。
【図９】本発明の実施形態に係るインクジェット記録装置を示す図である。
【図１０】本発明の実施形態に係るインクジェット記録装置の構成を示す図である。
【発明を実施するための形態】
【００１３】
以下、図面を参照して本発明の実施形態を説明する。但し、図中、同一又は相当部分については同一の参照符号を付して説明を繰り返さない。また、説明が重複する箇所については、適宜説明を省略する場合がある。なお、図面には、理解を容易にするために、前後方向、上下方向、及び左右方向を記載しているが、本発明に係るヘッドアッセンブリ及びインクジェット記録装置の製造時及び使用時の向きを限定する意図はない。
【００１４】
まず、図１を参照して、本実施形態のヘッドアッセンブリ１を説明する。図１は、本実施形態に係るヘッドアッセンブリ１を示す斜視図である。詳しくは、図１は、左斜め前の上方から見たヘッドアッセンブリ１を示す。図１に示すように、ヘッドアッセンブリ１は、ベース部材２、複数の記録ヘッド３、及び複数の連結部材４を備える。
【００１５】
ヘッドアッセンブリ１は長尺の部品であり、第１端部１ａと、第１端部１ａとは反対側の第２端部１ｂとを有する。第１端部１ａは、ヘッドアッセンブリ１の長手方向における一方の端部であり、第２端部１ｂは、ヘッドアッセンブリ１の長手方向における他方の端部である。本実施形態において、ヘッドアッセンブリ１の第１端部１ａは左側の端部であり、ヘッドアッセンブリ１の第２端部１ｂは右側の端部である。
【００１６】
複数の連結部材４は、複数の記録ヘッド３をベース部材２に連結する。ベース部材２は、長尺の部材である。本実施形態において、複数の記録ヘッド３は、第１記録ヘッド３ａ及び第２記録ヘッド３ｂを含む。また、本実施形態のヘッドアッセンブリ１は、記録ヘッド３ごとに、２つの連結部材４を備える。２つの連結部材４は、第１連結部材４ａ、及び第２連結部材４ｂを含む。第１連結部材４ａは、対応する記録ヘッド３の左側に配置されて、対応する記録ヘッド３の左側の端部をベース部材２に連結する。第２連結部材４ｂは、対応する記録ヘッド３の右側に配置されて、対応する記録ヘッド３の右側の端部をベース部材２に連結する。本実施形態において、ベース部材２に対して記録ヘッド３が配置される側は下側であり、その反対側は上側である。
【００１７】
次に、図２を参照して、本実施形態のヘッドアッセンブリ１を説明する。図２は、本実施形態に係るヘッドアッセンブリ１を示す斜視図である。詳しくは、図２は、左斜め後ろの上方から見たヘッドアッセンブリ１を示す。図２に示すように、複数の記録ヘッド３は、第１記録ヘッド３ａ及び第２記録ヘッド３ｂに加えて、第３記録ヘッド３ｃを更に含む。
【００１８】
本実施形態において、第１記録ヘッド３ａは、ヘッドアッセンブリ１の第１端部１ａ側に配置される。第２記録ヘッド３ｂは、ヘッドアッセンブリ１の第２端部１ｂ側に配置される。第３記録ヘッド３ｃは、ヘッドアッセンブリ１の中央部に配置される。また、第１記録ヘッド３ａ〜第３記録ヘッド３ｃは、ベース部材２の長手方向に沿って千鳥状に配置される。詳しくは、第３記録ヘッド３ｃは、第１記録ヘッド３ａ及び第２記録ヘッド３ｂと比べて後ろ側に配置される。
【００１９】
次に、図３及び図４を参照して、本実施形態のヘッドアッセンブリ１を説明する。図３は、本実施形態に係るヘッドアッセンブリ１を示す背面図である。図４は、本実施形態に係るヘッドアッセンブリ１を示す底面図である。
【００２０】
図３及び図４に示すように、記録ヘッド３は、ノズル面３１を有する。記録ヘッド３は、ノズル面３１からインクを吐出する。具体的には、ノズル面３１に多数のノズル孔が形成されており、ノズル孔からインクが吐出される。ノズル面３１は、記録ヘッド３の下面（底面）の少なくとも一部を構成する。また、図４に示すように、記録ヘッド３は、左右方向に沿って延びる。換言すると、記録ヘッド３は、ヘッドアッセンブリ１の長手方向に沿って延びる。なお、第１記録ヘッド３ａ〜第３記録ヘッド３ｃは、同色のインクを吐出する。
【００２１】
次に、図５を参照して、本実施形態のヘッドアッセンブリ１を説明する。図５は、本実施形態に係るヘッドアッセンブリ１を示す断面図である。詳しくは、図５は、第３記録ヘッド３ｃと、第３記録ヘッド３ｃをベース部材２に連結する第１連結部材４ａ及び第２連結部材４ｂとを示す。
【００２２】
図５に示すように、第３記録ヘッド３ｃは、第１端部３３ａと、第１端部３３ａとは反対側の第２端部３３ｂとを有する。第１端部３３ａは、第３記録ヘッド３ｃの左側の端部であり、第２端部３３ｂは、第３記録ヘッド３ｃの右側の端部である。なお、第１記録ヘッド３ａ及び第２記録ヘッド３ｂも第３記録ヘッド３ｃと同様に、第１端部３３ａ及び第２端部３３ｂを有する。
【００２３】
本実施形態において、第１端部３３ａは第１延伸部３４ａを含み、第２端部３３ｂは第２延伸部３４ｂを含む。第１延伸部３４ａ及び第２延伸部３４ｂは、ノズル面３１の外側に位置する。具体的には、第１延伸部３４ａは、ノズル面３１の左側に位置する。第２延伸部３４ｂは、ノズル面３１の右側に位置する。なお、第１記録ヘッド３ａ及び第２記録ヘッド３ｂも第３記録ヘッド３ｃと同様に、第１延伸部３４ａ、及び第２延伸部３４ｂを有する。
【００２４】
次に、図６を参照して、本実施形態のヘッドアッセンブリ１を更に説明する。図６は、本実施形態に係るヘッドアッセンブリ１を示す断面図である。詳しくは、図６は、記録ヘッド３の第２端部３３ｂと、その近傍とを示す。
【００２５】
図６に示すように、ヘッドアッセンブリ１は、第１押当部材６ａと、第１支持部７ａとを更に備える。第１押当部材６ａは、記録ヘッド３の上面に当接する。本実施形態では、第１押当部材６ａは、第２延伸部３４ｂの上面３５に当接する。第１支持部７ａは、第１押当部材６ａを上下方向に移動自在に支持する。記録ヘッド３の上面は、本発明の記録ヘッドの第１面に相当する。また、第２延伸部３４ｂの上面３５は、本発明の延伸部の第１面に相当する。
【００２６】
図６に示すように、第２連結部材４ｂは、付勢部材４１を有する。付勢部材４１は、記録ヘッド３の下面を、記録ヘッド３の上面側へ付勢する。本実施形態では、付勢部材４１は、第２延伸部３４ｂの下面３６を、第２延伸部３４ｂの上面３５側へ付勢する。換言すると、付勢部材４１は、記録ヘッド３の第２端部３３ｂを上方向に付勢する。付勢部材４１は、例えば、ばね部材である。記録ヘッド３の下面は、本発明の記録ヘッドの第２面に相当する。また、第２延伸部３４ｂの下面３６は、本発明の延伸部の第２面に相当する。
【００２７】
以上、図１〜図６を参照して本実施形態のヘッドアッセンブリ１を説明した。本実施形態によれば、付勢部材４１が記録ヘッド３を上方向に付勢し、第１押当部材６ａが、記録ヘッド３の上面に当接する。したがって、作業者は、第１押当部材６ａの上下方向の位置を調整することにより、記録ヘッド３の高さを調整することができる。よって、本実施形態によれば、第１記録ヘッド３ａ〜第３記録ヘッド３ｃの高さを調整して、第１記録ヘッド３ａ〜第３記録ヘッド３ｃのノズル面３１を互いに平行にすることができる。
【００２８】
続いて、図６を参照して、本実施形態の第１押当部材６ａ及び第１支持部７ａを更に説明する。第１支持部７ａは、上下方向に沿って延びる貫通穴を有する。貫通穴はねじ穴である。第１押当部材６ａの表面にはねじ溝が形成されており、第１押当部材６ａは、第１支持部７ａの貫通穴に螺合する。第１押当部材６ａは、例えば、イモネジである。
【００２９】
作業者は、第１押当部材６ａを回転させることにより、第１押当部材６ａを上下方向に沿って移動させることができる。換言すると、作業者は、第１押当部材６ａを回転させることにより、第１押当部材６ａの第１支持部７ａからの突出量を変化させることができる。第１押当部材６ａの第１支持部７ａからの突出量が増加すると、第２延伸部３４ｂが第１押当部材６ａによって下方向に押されて、記録ヘッド３の第２端部３３ｂが下方向に移動する。また、第１押当部材６ａの第１支持部７ａからの突出量が減少すると、付勢部材４１の付勢力により、第１押当部材６ａの移動に追従して記録ヘッド３の第２端部３３ｂが上方向に移動する。
【００３０】
続いて、図６を参照して、本実施形態の第２連結部材４ｂを更に説明する。図６に示すように、第２連結部材４ｂは、貫通部材４２と、ストッパー部４３とを更に有する。
【００３１】
貫通部材４２は、第２延伸部３４ｂを貫通する。貫通部材４２は、鍔部４２ａと、軸部４２ｂとを有する。鍔部４２ａは、第２延伸部３４ｂの下面３６に当接する。軸部４２ｂは、鍔部４２ａに接続する。軸部４２ｂは、第２延伸部３４ｂを貫通して、第２延伸部３４ｂの上面３５から突出する。換言すると、軸部４２ｂは、鍔部４２ａから上方向に延びる。
【００３２】
ストッパー部４３は、貫通部材４２に固定される。詳しくは、ストッパー部４３は、軸部４２ｂのうち、第２延伸部３４ｂの上面３５から突出する部分に固定される。換言すると、ストッパー部４３は、第２延伸部３４ｂの上方に配置される。本実施形態において、ストッパー部４３は、軸部４２ｂの先端部分に固定される。貫通部材４２は、例えば、先端部の表面にねじ溝が形成されたピン部材である。また、ストッパー部４３は、例えば、ナットである。
【００３３】
付勢部材４１は、第２延伸部３４ｂの上方に配置されて、ストッパー部４３を上方向に付勢する。換言すると、付勢部材４１は、ストッパー部４３の下方に配置される。また、付勢部材４１は、ノズル面３１とは反対側に配置される。したがって、本実施形態によれば、付勢部材４１は、ノズル面３１の直下を搬送される記録媒体に干渉しない位置に配置される。
【００３４】
より具体的には、図６に示すように、第２連結部材４ｂは、上下方向に延びる挿入穴４４を有する。挿入穴４４の下面は開口している。貫通部材４２の軸部４２ｂは、挿入穴４４の下面（開口）から、挿入穴４４に挿入される。
【００３５】
挿入穴４４は、段差部４４ａを有する。したがって、挿入穴４４の径が、段差部４４ａを境に変化する。具体的には、挿入穴４４のうち、段差部４４ａの上側の部分の径が、段差部４４ａよりも下側の部分の径と比べて大きくなる。
【００３６】
ストッパー部４３及び付勢部材４１は挿入穴４４内に配置される。具体的には、ストッパー部４３及び付勢部材４１は、挿入穴４４にうちの段差部４４ａよりも上側の部分に配置される。また、ストッパー部４３は、挿入穴４４内において、上下方向に移動自在に配置される。付勢部材４１は、挿入穴４４内において、伸縮自在に配置される。
【００３７】
付勢部材４１は、第１端部４１ａと、第１端部４１ａとは反対側の第２端部４１ｂとを有する。本実施形態において、第１端部４１ａは付勢部材４１の上側の端部であり、第２端部４１ｂは付勢部材４１の下側の端部である。
【００３８】
付勢部材４１の第１端部４１ａは、ストッパー部４３に接続する。詳しくは、付勢部材４１の第１端部４１ａは、ストッパー部４３の下面に接続する。また、付勢部材４１の第２端部４１ｂは、段差部４４ａに接続する。なお、付勢部材４１の第１端部４１ａは、ストッパー部４３に接触してもよいし、ストッパー部４３に固定されてもよい。同様に、付勢部材４１の第２端部４１ｂは、段差部４４ａに接触してもよいし、段差部４４ａに固定されてもよい。
【００３９】
以上、図６を参照して第２連結部材４ｂを説明した。本実施形態の第２連結部材４ｂによれば、付勢部材４１の付勢力によって、記録ヘッド３の第２端部３３ｂを上下方向に移動自在に支持することができる。したがって、第１押当部材６ａの第１支持部７ａからの突出量を変化させることにより、記録ヘッド３の第２端部３３ｂを上下方向に移動させることができる。
【００４０】
次に、図７を参照して、本実施形態のヘッドアッセンブリ１を更に説明する。図７は、本実施形態に係るヘッドアッセンブリ１を示す断面図である。詳しくは、図７は、記録ヘッド３の第１端部３３ａと、その近傍とを示す。
【００４１】
図７に示すように、ヘッドアッセンブリ１は、第２押当部材６ｂと、第２支持部７ｂとを更に備える。第２押当部材６ｂは、図６を参照して説明した第１押当部材６ａと同様の構成を有する。すなわち、第２押当部材６ｂは、第１押当部材６ａと同様に、記録ヘッド３の上面に当接する。本実施形態では、第２押当部材６ｂは、第１延伸部３４ａの上面３５に当接する。第２支持部７ｂも、図６を参照して説明した第１支持部７ａと同様の構成を有する。すなわち、第２支持部７ｂは、第２押当部材６ｂを上下方向に移動自在に支持する。なお、第１延伸部３４ａの上面３５は、第２延伸部３４ｂの上面３５と同様に、本発明の延伸部の第１面に相当する。
【００４２】
図７に示すように、第１連結部材４ａは、図６を参照して説明した第２連結部材４ｂと同様の構成を有する。すなわち、第１連結部材４ａは、第２連結部材４ｂと同様に、付勢部材４１、貫通部材４２、ストッパー部４３、及び挿入穴４４を有する。
【００４３】
以上、図７を参照して本実施形態のヘッドアッセンブリ１を説明した。本実施形態によれば、作業者は、第２押当部材６ｂの上下方向の位置を変化させて、記録ヘッド３の第１端部３３ａを上下方向に移動させることができる。したがって、作業者は、第１押当部材６ａ及び第２押当部材６ｂの上下方向の位置を調整して、記録ヘッド３の高さを調整することができる。
【００４４】
続いて、図７を参照して、本実施形態のヘッドアッセンブリ１を更に説明する。図７に示すように、ヘッドアッセンブリ１は、保護部材９を更に備える。保護部材９は、記録ヘッド３の第１端部３３ａに配置される。具体的には、保護部材９は、貫通部材４２の鍔部４２ａと第１延伸部３４ａとの間に配置される。
【００４５】
詳しくは、保護部材９の下面９１は、上方へ凹む凹部９２を有する。貫通部材４２の鍔部４２ａは、凹部９２内に配置される。また、保護部材９の下面９１は、ノズル面３１に対して傾斜する斜面９１ａを含む。斜面９１ａは、ノズル面３１に接続する。本実施形態において、斜面９１ａは、ノズル面３１の左端に接続する。斜面９１ａは、ノズル面３１から左方に離れるほど、上方に向けて傾斜する。
【００４６】
以上、図７を参照して、保護部材９を説明した。本実施形態によれば、ヘッドアッセンブリ１が保護部材９を備えることにより、図１０を参照して説明するようにワイプブレード１４２ａがノズル面３１を清掃する際に、ワイプブレード１４２ａによってノズル面３１から拭き取られたインクが飛び散り難くい。
【００４７】
具体的には、ワイプブレード１４２ａは、ノズル面３１に接触した状態で、ノズル面３１の右端から左端へ向かって移動する。ワイプブレード１４２ａは、弾性を有する材料を含み、ノズル面３１の清掃時に、ノズル面３１に押し付けられて、撓んだ状態となる。したがって、ノズル面３１の左端に段差が存在する場合、ワイプブレード１４２ａが撓んだ姿勢から元の姿勢に復帰する反動力により、ワイプブレード１４２ａによってノズル面３１から拭き取られたインクが飛び散る。これに対し、本実施形態によれば、ノズル面３１の左端に斜面９１ａが接続しているため、ワイプブレード１４２ａは、撓んだ姿勢から緩やかに元の姿勢に戻る。この結果、インクが飛び散り難くなる。
【００４８】
また、本実施形態によれば、貫通部材４２の鍔部４２ａが、凹部９２内に配置される。したがって、ワイプブレード１４２ａが鍔部４２ａに接触することを防ぐことができる。この結果、ワイプブレード１４２ａが鍔部４２ａによって破損することを防ぐことができる。
【００４９】
続いて図８を参照して、本実施形態のヘッドアッセンブリ１を更に説明する。図８は、本実施形態に係る記録ヘッド３、第１連結部材４ａ、及び第２連結部材４ｂを示す上面図である。
【００５０】
図８に示すように、ヘッドアッセンブリ１は、２つの第１押当部材６ａと、１つの第２押当部材６ｂとを備える。したがって、作業者は、記録ヘッド３の３か所で記録ヘッド３の高さを調整できる。その結果、第１記録ヘッド３ａ〜第３記録ヘッド３ｃのノズル面３１を互いに平行にする作業がより容易となる。
【００５１】
次に、図９を参照して、本実施形態のインクジェット記録装置１００を説明する。図９は、本実施形態のインクジェット記録装置１００を示す図である。図９に示すように、インクジェット記録装置１００は、ヘッドアッセンブリ１と、設置部５とを備える。
【００５２】
ヘッドアッセンブリ１は、設置部５に設置される。設置部５は、例えば、上面が開放された枠体である。この場合、設置部５は、ヘッドアッセンブリ１を収容する。設置部５は、インクジェット記録装置１００が備える本体フレームに支持される。
【００５３】
設置部５は、側壁５ａ及び底壁５ｂを有する。側壁５ａは、底壁５ｂの端部に接続して、底壁５ｂから上方向に延びる。底壁５ｂは、開口５ｈと、載置面５１とを有する。載置面５１には、ヘッドアッセンブリ１の下面の一部が載置される。ヘッドアッセンブリ１が設置部５に設置されると、第１記録ヘッド３ａ〜第３記録ヘッド３ｃのそれぞれの下端部３２（ノズル面側の端部）が開口５ｈから突出する。その結果、第１記録ヘッド３ａ〜第３記録ヘッド３ｃのそれぞれのノズル面３１は、設置部５の底壁５ｂの下方に配置される。
【００５４】
次に、図１０を参照して、本実施形態のインクジェット記録装置１００を更に説明する。図１０は、本実施形態に係るインクジェット記録装置１００の構成を示す図である。
【００５５】
図１０に示すように、インクジェット記録装置１００は、給紙部１１０と、シート搬送部１２０と、排出部１３０と、メンテナンスユニット１４０とを備える。また、インクジェット記録装置１００は、４つのヘッドアッセンブリ１を備える。４つのヘッドアッセンブリ１は、第１ヘッドアッセンブリ１１と、第２ヘッドアッセンブリ１２と、第３ヘッドアッセンブリ１３と、第４ヘッドアッセンブリ１４とを含む。
【００５６】
給紙部１１０は、シート搬送部１２０にシートＳを給紙する。本実施形態の給紙部１１０は、給紙カセット１１１と、給紙ローラー１１２とを有する。給紙カセット１１１は、少なくとも１枚のシートＳを収容する。給紙ローラー１１２は、給紙カセット１１１からシート搬送部１２０へシートＳを送り出す。なお、シートＳは記録媒体の一例である。
【００５７】
シート搬送部１２０は、シートＳを排出部１３０まで搬送する。詳しくは、シート搬送部１２０は、複数の搬送ガイド１２１と、複数の搬送ローラー対１２２と、レジストローラー対１２３とを有する。搬送ガイド１２１はシートＳの搬送路を構成する。搬送ローラー対１２２は、搬送路に沿ってシートＳを搬送する。レジストローラー対１２３は、第１ヘッドアッセンブリ１１〜第４ヘッドアッセンブリ１４と対向する領域へのシートＳの搬送タイミングを調整する。
【００５８】
本実施形態のシート搬送部１２０は、第１搬送ユニット１２４と、第２搬送ユニット１２５とを有する。第１搬送ユニット１２４は、第１ヘッドアッセンブリ１１〜第４ヘッドアッセンブリ１４と対向する。第１搬送ユニット１２４は、第１ヘッドアッセンブリ１１〜第４ヘッドアッセンブリ１４の直下の領域においてシートＳを搬送する。第２搬送ユニット１２５は、第１搬送ユニット１２４から送り出されたシートＳを、排出部１３０へ向けて搬送する。
【００５９】
第１ヘッドアッセンブリ１１〜第４ヘッドアッセンブリ１４に設けられた記録ヘッド３は、第１搬送ユニット１２４によって搬送されているシートＳに向けて、インクを吐出する。具体的には、第１ヘッドアッセンブリ１１〜第４ヘッドアッセンブリ１４のそれぞれの記録ヘッド３は、互いに異なる色のインクを吐出する。例えば、第１ヘッドアッセンブリ１１の記録ヘッド３は、ブラック色のインクを吐出する。第２ヘッドアッセンブリ１２の記録ヘッド３は、シアン色のインクを吐出する。第３ヘッドアッセンブリ１３の記録ヘッド３は、マゼンタ色のインクを吐出する。第４ヘッドアッセンブリ１４の記録ヘッド３は、イエロー色のインクを吐出する。
【００６０】
排出部１３０は、装置本体の外部にシートＳを排出する。本実施形態の排出部１３０は、排出トレイ１３１と、排出ローラー対１３２とを有する。排出ローラー対１３２は、シートＳを排出トレイ１３１に送り出す。
【００６１】
メンテナンスユニット１４０は、第１ヘッドアッセンブリ１１〜第４ヘッドアッセンブリ１４のそれぞれの記録ヘッド３をメンテナンスする。メンテナンスユニット１４０は、シートＳへの画像の記録時に第２搬送ユニット１２５の下方に位置し、記録ヘッド３のメンテナンス時に、第１ヘッドアッセンブリ１１〜第４ヘッドアッセンブリ１４の直下の位置へ移動する。なお、記録ヘッド３のメンテナンス時には、第１搬送ユニット１２４は、退避位置に移動している。退避位置は、第１搬送ユニット１２４がメンテナンスユニット１４０と衝突しない位置である。
【００６２】
本実施形態のメンテナンスユニット１４０は、キャップ部１４１と、クリーニング部１４２とを有する。図３を参照して説明したように、記録ヘッド３はノズル面３１を有する。キャップ部１４１は、キャッピング部材１４１ａを有する。キャッピング部材１４１ａは、記録ヘッド３のノズル面３１をキャッピングして、インクが乾燥し難い環境を提供する。
【００６３】
クリーニング部１４２は、記録ヘッド３のノズル面３１を清掃する。具体定には、クリーニング部１４２は、ワイプブレード１４２ａを有する。ワイプブレード１４２ａは、例えば、樹脂を材料として含む。ワイプブレード１４２ａは、ノズル面３１を清掃するクリーニング部材である。
【００６４】
クリーニング部１４２は、記録ヘッド３の下面にワイプブレード１４２ａを接触させた状態で、図５を参照して説明した記録ヘッド３の長手方向に沿ってワイプブレード１４２ａを移動させる。この結果、ノズル面３１がワイプブレード１４２ａによって払拭されて、ノズル面３１が清掃される。具体的には、ノズル面３１に付着していたインクが、ワイプブレード１４２ａによって拭き取られる。
【００６５】
本実施形態によれば、図７を参照して説明したように、第１ヘッドアッセンブリ１１は、第１ヘッドアッセンブリ１１が有する３つの記録ヘッド３の各々に対して設けられた保護部材９を備える。第２ヘッドアッセンブリ１２〜第４ヘッドアッセンブリ１４も第１ヘッドアッセンブリ１１と同様に保護部材９を備える。したがって、ワイプブレード１４２ａによってノズル面３１から拭き取られたインクが飛び散り難くい。
【００６６】
以上、図１〜図１０を参照して本発明の実施形態について説明した。但し、本発明は、上記の実施形態に限られるものではなく、その要旨を逸脱しない範囲で種々の態様において実施できる。また、上記の実施形態に開示される構成要素は適宜改変可能である。図面は、発明の理解を容易にするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の構成は一例であって、特に限定されるものではなく、本発明の効果から実質的に逸脱しない範囲で種々の変更が可能である。
【００６７】
例えば、本発明の実施形態において、第１押当部材６ａは２つであったが、第１押当部材６ａは１つでもよく、３つ以上でもよい。同様に、本発明の実施形態において、第２押当部材６ｂは１つであったが、第２押当部材６ｂは２つ以上でもよい。
【００６８】
また、本発明の実施形態において、ヘッドアッセンブリ１は、第１押当部材６ａと、第２押当部材６ｂとを備えたが、ヘッドアッセンブリ１は、第１押当部材６ａと第２押当部材６ｂとのうちの一方のみを備えてもよい。
【００６９】
また、本発明の実施形態において、ヘッドアッセンブリ１が有する３つの記録ヘッド３の高さ調整が可能な構成を説明したが、ヘッドアッセンブリ１は、３つの記録ヘッド３のうちの１つ又は２つの高さ調整が可能な構成であってもよい。
【００７０】
また、本発明の実施形態において、インクジェット記録装置１００は、４つのヘッドアッセンブリ１を備えたが、インクジェット記録装置１００は、１つ、２つ、又は３つのヘッドアッセンブリ１を備えてもよいし、５つ以上のヘッドアッセンブリ１を備えてもよい。
【００７１】
また、本発明の実施形態において、ヘッドアッセンブリ１は、３つの記録ヘッド３を有したが、ヘッドアッセンブリ１は、１つ、又は２つの記録ヘッド３を有してもよいし、４つ以上の記録ヘッド３を有してもよい。
【産業上の利用可能性】
【００７２】
本発明は、インクジェット方式で記録媒体に画像を記録する装置の分野に有用である。
【符号の説明】
【００７３】
１        ヘッドアッセンブリ
２        ベース部材
３        記録ヘッド
４        連結部材
４ａ      第１連結部材
４ｂ      第２連結部材
６ａ      第１押当部材
６ｂ      第２押当部材
３１      ノズル面
３３ａ    第１端部
３３ｂ    第２端部
３４ａ    第１延伸部
３４ｂ    第２延伸部
３５      上面
３６      下面
４１      付勢部材
４１ａ    第１端部
４１ｂ    第２端部
４２      貫通部材
４２ａ    鍔部
４２ｂ    軸部
４３      ストッパー部
４４      挿入穴
４４ａ    段差部
１００    インクジェット記録装置
【図１】
2020121517.tif 000003
【図２】
2020121517.tif 000004
【図３】
2020121517.tif 000005
【図４】
2020121517.tif 000006
【図５】
2020121517.tif 000007
【図６】
2020121517.tif 000008
【図７】
2020121517.tif 000009
【図８】
2020121517.tif 000010
【図９】
2020121517.tif 000011
【図１０】
2020121517.tif 000012